(57)【要約】【課題】電磁波吸収片を適宜配設して単一偏波用または水平、垂直両偏波用吸収機能を備え、更に軽量、安価、且つ利便性の高い、更には建物の美観をも向上させる電磁波吸収パネル及び電磁波吸収パネルユニットの提供。【解決手段】所望の金属板Ｍに直方体のフェライト磁性体からなる電磁波吸収片Ｆを所定間隔Ｓで複数列の桟を取付けるように長手方向に立設伸延して配列し、配列した桟１と桟１の間の空隙４に電磁波透過性の緩衝材を充填・介在させ、表面を繊維強化樹脂板から構成される保護用板部材３にて被覆して所望寸法の板状構造体と成し、取り付け用の締結孔５を周縁部に所望個数設けて成り、電磁波吸収片Ｆは、厚みｔ、高さｈ、長さｌを有し、該電磁波吸収片Ｆで形成される桟１と相隣る桟１の間隔Ｓを保ち、入射する対象電波の波長をλとするとき、ｌ≧ｈ≧ｔ及びλ≧Ｓ＞ｔとなる関係式を満足することを特徴とする。【選択図】        図３
2004250998.tif 000002
【特許請求の範囲】
【請求項１】
所望の金属板に直方体のフェライト磁性体からなる電磁波吸収片を所定間隔で複数列の桟を取り付けるように長手方向に立設伸延して配列し、配列した桟と桟の間の空隙に電磁波透過性の緩衝材を充填・介在させ、表面を繊維強化樹脂板から構成される保護用板部材にて被覆して所望寸法の板状構造体と成し、取り付け用の締結孔を周縁部に所望個数設けて成り、電磁波吸収片は、厚みｔ、高さｈ、長さｌを有し、該電磁波吸収片で形成される桟と相隣る桟の間隔Ｓを保ち、入射する対象電波の波長をλとするとき、
ｌ≧ｈ≧ｔ
λ≧Ｓ＞ｔ
の関係式を満足することを特徴とする電磁波吸収パネル。
【請求項２】
所望の金属板に直方体のフェライト磁性体からなる電磁波吸収片を所定間隔で格子状を形成するように組合わせて配設し、格子状に組まれて生じた空隙に電磁波透過性の緩衝材を充填・介在させ、表面を繊維強化樹脂板から構成される保護用板部材にて被覆して所望寸法の板状構造体と成し、取り付け用の締結孔を周縁部に所望個数設けて成り、電磁波吸収片は、厚みｔ、高さｈ、長さｌを有し、該電磁波吸収片で形成される格子状の縦、横の配置間隔Ｓを保ち、入射する対象電波の波長をλとするとき、
ｌ≧ｈ≧ｔ
λ≧Ｓ＞ｔ
の関係式を満足することを特徴とする電磁波吸収パネル。
【請求項３】
請求項１または２記載の電磁波吸収パネルにおいて、前記緩衝材は、軟質樹脂等の弾性体から成ることを特徴とする電磁波吸収パネル。
【請求項４】
請求項１または２記載の電磁波吸収パネルにおいて、保護用板部材の表面に色柄模様、文字、絵画等または夫々の部分を描き、または印刷し、全体として纏めた構成としたことを特徴とする電磁波吸収パネル。
【請求項５】
請求項１または２記載の電磁波吸収パネルをＰＣ板と一体に組合わせたパネル構造体としたことを特徴とする電磁波吸収パネルユニット。
【発明の詳細な説明】
【０００１】
【発明の属する技術分野】
本発明は、施工時に簡便・容易に使用できる広帯域対応の電磁波吸収パネル及び電磁波吸収パネルユニットに関する。
【０００２】
【従来の技術】
情報化時代において、建物内の機器を保護する為に、外来不要電波の影響を防止することが考えられ、防止方法として、建築物の躯体及び窓や出入口等の開口部に電磁波シ−ルド材を用いて建築物全体を電磁波シ−ルド構造にしたり、高層建物から反射してくるテレビ電波の反射障害や遮蔽障害において、遮蔽障害に対しては、送信側の建物の向きや高さを考慮するなどが行われ、受信側では共同受信施設やアンテナの移動等の方法が採られ、一方反射障害に対しては、影響を受ける建物の向き、配置、高さ等を検討し、また壁面の形状、材料等について反射の方法、吸収方法等が研究されてきた。
【０００３】
建物の壁面については、フェライトタイルを打ち込んだＰＣ板を外壁面に採用して建築物に電波吸収性能を持たせる方法が行われてきたが種々問題が残った。
【０００４】
これら従来の問題点を解決するために、テレビ電波を建物内に積極的に導入し、建物内で電波を吸収させて、内部に電磁波シールド室を配する建築物においても、電波反射を起こさせないことを目的として、高層部の外壁にガラスカーテンウォールを配置し、その室内側に電磁波吸収パネルを設置して電波を吸収させ、電波無反射建物とするために、電磁波反射板の上に直方体のフェライトを垂直に所定間隔を保って平行に配列し、フェライト上面を電磁波方向に向けるようにし、電磁波吸収パネルを窓台と梁の外側に設置し、電磁波反射板の下面に耐火構造体を貼設し、電磁波吸収パネルのフェライト上面もしくはフェライト間とフェライト上面を耐火構造体の保持部材で閉塞するという提案が開示されている（例えば、特許文献１参照。）。
【０００５】
また、テレビ電波等の電磁波を効率よく吸収して建物の反射による電波障害を防止し、建物の外装材としての電波吸収ＰＣ板及びその製造方法として、桟型電波吸収体と、桟型電波吸収体の前面に配置して、その前面で電波吸収ＰＣ板の表面を形成するモルタル層及びこれらを埋設するコンクリートから構成して、所定方向の電磁波を効率よく吸収して建物の反射による電波障害を防止している。また、その製造方法はモルタル層、モルタル層に固定された桟型電波吸収体及びモルタル層に一端側が埋設されたアンカー筋とからなるパネルユニットを予め製作して置き、これを打設コンクリートで一体にすることで、電磁波吸収性能と品質の確保及び生産性を向上させている、という事例が開示されている（例えば、特許文献２参照。）。
【０００６】
また、電波吸収ＰＣ板は誘電体によって等間隔に配置された桟型フェライト磁性体と、少なくとも電波反射体を配置して構成する桟型電波吸収体と、結合部を備えた電波吸収ＰＣ板の表面を形成する押出し成形板及び桟型電波吸収体と押出し成形板とを一体に構成するコンクリート構造部から構成されており、広帯域の電磁波に対する電波吸収性能の安定性と構造の軽量化を図った提案が開示されている（例えば、特許文献３参照。）。
【０００７】
【特許文献１】
特開２０００−１３０８２号公報
【特許文献２】
特開２０００−２４０１８８号公報
【特許文献３】
特開２００２−７０２１２号公報
【０００８】
【発明が解決しようとする課題】
然しながら上述の従来例では、１）特許文献１の場合、予め製作しておくユニットを形成しにくく、対処する範囲が広くなり過ぎ、実現性、経済性等の問題があり、また、２）特許文献２の場合は、構成材の影響で重量や剛性、経済性に問題があり、また、３）特許文献３の場合、「結合部を備えた電波吸収ＰＣ板の表面を形成する押出し成形板及び桟型電波吸収体と押出し成形板とを一体に構成するコンクリート構造部から構成され」とあり、予め製作しておくユニットを形成しにくく、重量が大となり、経済性、取り扱い上の利便性等に問題がある。
【０００９】
本発明は、上述の状況に鑑みて成されたもので、電磁波吸収片を適宜配設して単一偏波用または水平、垂直両偏波用吸収機能を備え、更に軽量、安価、且つ利便性の高い、更には建物の美観をも向上させる電磁波吸収パネル及び電磁波吸収パネルユニットを提供することを目的とする。
【００１０】
【課題を解決するための手段】
本発明は、下記構成を備えることにより上記課題を解決できるものである。
【００１１】
（１）所望の金属板に直方体のフェライト磁性体からなる電磁波吸収片を所定間隔で複数列の桟を取り付けるように長手方向に立設伸延して配列し、配列した桟と桟の間の空隙に電磁波透過性の緩衝材を充填・介在させ、表面を繊維強化樹脂板から構成される保護用板部材にて被覆して所望寸法の板状構造体と成し、取り付け用の締結孔を周縁部に所望個数設けて成り、電磁波吸収片は、厚みｔ、高さｈ、長さｌを有し、該電磁波吸収片で形成される桟と相隣る桟の間隔Ｓを保ち、入射する対象電波の波長をλとするとき、
ｌ≧ｈ≧ｔ
λ≧Ｓ＞ｔ
の関係式を満足する電磁波吸収パネル。
【００１２】
（２）所望の金属板に直方体のフェライト磁性体からなる電磁波吸収片を所定間隔で格子状を形成するように組合わせて配設し、格子状に組まれて生じた空隙に電磁波透過性の緩衝材を充填・介在させ、表面を繊維強化樹脂板から構成される保護用板部材にて被覆して所望寸法の板状構造体と成し、取り付け用の締結孔を周縁部に所望個数設けて成り、電磁波吸収片は、厚みｔ、高さｈ、長さｌを有し、該電磁波吸収片で形成される格子状の縦、横の配置間隔Ｓを保ち、入射する対象電波の波長をλとするとき、
ｌ≧ｈ≧ｔ
λ≧Ｓ＞ｔ
の関係式を満足する電磁波吸収パネル。
【００１３】
（３）前項（１）または（２）記載の電磁波吸収パネルにおいて、前記緩衝材は、軟質樹脂等の弾性体から成る電磁波吸収パネル。
【００１４】
（４）前項（１）または（２）記載の電磁波吸収パネルにおいて、保護用板部材の表面に色柄模様、文字、絵画等または夫々の部分を描き、または印刷し、全体として纏めた構成とした電磁波吸収パネル。
【００１５】
（５）前項（１）または（２）記載の電磁波吸収パネルをＰＣ板と一体に組合わせたパネル構造体とし、所定箇所に対象構造物への結合・締結部材の取り付け部を設けた電磁波吸収パネルユニット。
【００１６】
【発明の実施の形態】
以下、本発明に係る電磁波吸収パネル及び電磁波吸収パネルユニットの実施の形態を説明する。
【００１７】
図１は、実施例１における電磁波吸収片を桟型に配設した電磁波吸収パネルの要部構成を示す説明図、（ａ）は、部分破断斜視図、（ｂ）は、所定の配置状況を示す説明図、図２は、実施例２における電磁波吸収片を格子状に配設した電磁波吸収パネルの要部構成を示す斜視図、図３は、実施例３における電磁波吸収パネルの構成例を示す説明図、（ａ）は、正面図、（ｂ）は、Ａ−Ａ断面図、図４は、実施例４におけるＰＣ板と一体とした電磁波吸収パネルユニットの構成例を示す図であり、（ａ）は、正面図、（ｂ）は、Ｂ−Ｂ断面図、図５は、図４（ｂ）の締結部分の一例を示すＣ部拡大図である。
【００１８】
（実施例１）
ＴＶ電波等のＵＨＦ、ＶＨＦ帯に含まれる電磁波帯で用いられる電磁波吸収パネルＰであって、所望の導電性を有する金属板Ｍに直方体のフェライト磁性体からなる電磁波吸収片Ｆを所定間隔Ｓで複数列の桟を取り付けるように高さｈで長手ｌ方向に立設伸延して配列し、配列した桟１と桟１の間の空隙４に電磁波透過性の緩衝材を形成する軟質樹脂または発泡樹脂等の弾性体、例えば、軟質系のウレタン樹脂等を充填・介在させ、表面を例えばガラス繊維等の繊維強化樹脂板（ＧＦＲＰ）から構成される保護用板部材３にて被覆して所望寸法Ｗ×Ｌ×Ｈの板状構造体と成し、取り付け用の締結孔５、５…を周縁部に、例えば、所望個数８個設け、フェライト磁性体からなる電磁波吸収片Ｆは、厚みｔ、高さｈ、長さｌを有し、該電磁波吸収片Ｆで形成される桟１と相隣る桟１の間隔Ｓを保ち、入射する対象電波の波長をλとするとき、
ｌ≧ｈ≧ｔ
λ≧Ｓ＞ｔ
の関係式を満足することを特徴とする。
【００１９】
本実施例では、ｌ：１００ｍｍ≧ｈ：１７ｍｍ≧ｔ：７ｍｍとし、間隔Ｓ：４０ｍｍとした。
【００２０】
因みに、ＶＨＦの周波数範囲は３０〜３００ＭＨｚで、波長範囲は１〜１０ｍであり、ＵＨＦの３００〜３０００ＭＨｚで、波長範囲は０．１〜１ｍであるとする。
【００２１】
上述のように、所定寸法のフェライト磁性体からなる電磁波吸収片Ｆを適宜間隔で桟型に配設することにより、反射波を減少すると共に、電界ベクトルと磁界ベクトルの両方が伝搬方向に垂直なＴＥＭ波を磁界ベクトルが常に伝搬方向に垂直なＴＭ波に変換し、電磁波吸収が行われ、単一偏波用広帯域に対応する電磁波吸収機能を備える。
【００２２】
（実施例２）
実施例２では、図２に示すように、所望の導電性を有する金属板Ｍ′に直方体のフェライト磁性体からなる電磁波吸収片Ｆを縦・横の所定間隔Ｓで格子状２を形成するように組合わせて配設し、格子状２に組まれて生じた空隙４′に電磁波透過性の緩衝材を形成する軟質樹脂または発泡樹脂等の弾性体、例えば、軟質系のウレタン樹脂等を充填・介在させ、表面を例えばガラス繊維等の繊維強化樹脂板（ＧＦＲＰ）から構成される保護用板部材３′にて被覆して所望寸法Ｗ×Ｌ×Ｈの板状構造体と成し、取り付け用の締結孔５、５…を周縁部に、例えば、所望個数８個設け、フェライト磁性体からなる電磁波吸収片Ｆは、厚みｔ、高さｈ、長さｌを有し、該電磁波吸収片Ｆで形成される格子状２の縦、横の間隔Ｓを保ち、入射する対象電波の波長をλとするとき、
ｌ≧ｈ≧ｔ
λ≧Ｓ＞ｔ
の関係式を満足することを特徴とする。
【００２３】
本実施例では、ｌ、ｈ、ｔ、Ｓの値は実施例１の場合と同様である。
【００２４】
上述のように、所定寸法のフェライト磁性体からなる電磁波吸収片Ｆを適宜間隔で格子状に配設することにより、反射波を減少すると共に、電界ベクトルと磁界ベクトルの両方が伝搬方向に垂直なＴＥＭ波を磁界ベクトルが常に伝搬方向に垂直なＴＭ波に変換し、電磁波吸収が行われ、水平、垂直両偏波用広帯域に対応する電磁波吸収機能を備える。
【００２５】
（実施例３）
実施例３は、前述の実施例１、または２の電磁波吸収パネルＰを基本として、実際の建物に当てはめた場合であり、図３（ａ）、（ｂ）にこの場合の構成を示す。
【００２６】
フェライト磁性体からなる電磁波吸収片Ｆを桟型に間隔Ｓで配設し、表面を例えばガラス繊維等の繊維強化樹脂板（ＧＦＲＰ）から構成される保護用板部材３″の厚みを３ｍｍ、フェライト磁性体からなる電磁波吸収片Ｆの高さｈを１７ｍｍ、反射板となる金属板の厚みを４．５ｍｍとし、電磁波吸収パネルＰの厚みＨは、２４．５ｍｍとした。空隙４″には、前述したように、軟質樹脂または発泡樹脂等の弾性体、例えば、軟質系のウレタン樹脂等の衝撃や振動等を緩和する緩衝材を充填・介在させてある。
【００２７】
電磁波吸収パネルＰの寸法Ｗ×Ｌ×Ｈは、取り付ける建物等の条件に応じて決めれば良く、本実施形態では、設置する箇所の条件に応じて、厚み（高さ）Ｈを２４．５ｍｍ、長さＬを１７４０ｍｍに対し、幅Ｗを６９６ｍｍ、２０８ｍｍ、２０７ｍｍの３通りで一つの建物に対応したが、これに限定されず自由に決定し、選択出来る。
【００２８】
（実施例４）
実施例４は、図４（ａ）、（ｂ）に示すように、前述の実施例３の電磁波吸収パネルＰをＰＣ板と一体に組合わせたパネル構造体とし、電磁波吸収パネルユニットＰＵとした場合である。
【００２９】
図４及び図５に示すように、例えば、電磁波吸収パネルＰをＰＣ板に締結して電磁波吸収パネルユニットＰＵとする場合、電磁波を反射する金属板Ｍ″の所定位置に穿設された締結孔５に係合する寸法のボルト６を、対象とするＰＣ板に挿設し、ワッシャー６ｂを介してナット６ａを螺着して締結し、次にボルト挿着用に開けられてあった例えばガラス繊維等の繊維強化樹脂板から構成される保護用板部材３″の穴に係合する同種の蓋体７を嵌装し、風雨から保護する構成としてある。
【００３０】
尚、本実施例では、例えばガラス繊維等の繊維強化樹脂板から構成される保護用板部材３″の厚みを３ｍｍ、フェライト磁性体からなる電磁波吸収片Ｆの高さｈを１７ｍｍ、反射板となる金属板の厚みを４．５ｍｍとし、電磁波吸収パネルＰの厚みＨは、２４．５ｍｍとした。
【００３１】
電磁波吸収パネルＰの寸法Ｗ×Ｌ×Ｈは取り付ける建物等の条件に応じて決めれば良く、本実施形態では、設置する箇所の条件に応じて、厚み（高さ）Ｈを２４．５ｍｍ、長さＬを１７４０ｍｍに対し、幅Ｗを６９６ｍｍ、２０８ｍｍ、２０７ｍｍの３通りで一つの建物に対応したが、これに限定されず自由に決定し、選択出来る。
【００３２】
（その他の実施例）
尚、電磁波吸収パネルＰの例えばガラス繊維等の繊維強化樹脂板から構成される保護用板部材３、３′、３″の表面に色柄模様、文字、絵画等または夫々の部分を描き、または印刷し、全体として纏めた構成とし、建物の美観を向上させることを特徴とする。また、模様としては、周囲の環境に応じて植物、動物、鳥、景色など、自由に選択出来る。
【００３３】
尚また、相隣る電磁波吸収片の間の空隙は、状況に応じて、緩衝材等の充填・介在の可否を決定すれば良い。
【００３４】
本実施形態における各部の寸法は、これに限定されるものではなく、請求項１または２で示した関係式を満足するものであれば良い。
【００３５】
また、本実施例で用いた間隔Ｓは、フェライト磁性体からなる電磁波吸収片Ｆの中心間距離、または等間隔で配置された凹凸のピッチを表すものとする。
【００３６】
尚更に、使用場所、使用例等について付け加えると、電波暗室や電波測定施設等において、床・壁・天井等の所望の場所に適宜使用して電磁波の反射を防ぐようにすることが出来る。
【００３７】
【発明の効果】
以上説明したように本発明によれば、フェライト磁性体からなる電磁波吸収片を適宜配設して単一偏波用または水平、垂直両偏波用吸収機能を備え、更に軽量、安価、且つ利便性の高い、更には建物の美観をも向上させる電磁波吸収パネル及び電磁波吸収パネルユニットを提供することが出来る。
【図面の簡単な説明】
【図１】実施例１における電磁波吸収片を桟型に配設した電磁波吸収パネルの要部構成を示す説明図、（ａ）部分破断斜視図、（ｂ）所定の配置状況を示す説明図
【図２】実施例２における電磁波吸収片を格子状に配設した電磁波吸収パネルの要部構成を示す斜視図
【図３】実施例３における電磁波吸収パネルの構成例を示す説明図、（ａ）正面図、（ｂ）Ａ−Ａ拡大断面図
【図４】実施例４におけるＰＣ板と一体とした電磁波吸収パネルユニットの構成例を示す図、（ａ）正面図、（ｂ）Ｂ−Ｂ断面図
【図５】図４（ｂ）の締結部分の一例を示すＣ部拡大図
【符号の説明】
１  桟
２  格子状
３、３′、３″  保護用板部材（ＧＦＲＰ）
４、４′、４″  空隙
５  締結孔
６  ボルト
７  蓋体
Ｆ  電磁波吸収片（フェライト磁性体）
Ｐ  電磁波吸収パネル
ＰＵ  電磁波吸収パネルユニット
【図１】
2004250998.tif 000003
【図２】
2004250998.tif 000004
【図３】
2004250998.tif 000005
【図４】
2004250998.tif 000006
【図５】
2004250998.tif 000007